(57)【特許請求の範囲】
【請求項１】
ハート形に形成されたスライドガイド路（３）内を移動可能な制御ピン（４）を備えた、可動家具部品（２）用のロック可能な取り出し装置（１）であって、
前記スライドガイド路（３）は、
前記可動家具部品（２）を閉じる際に前記制御ピン（４）が移動するところの閉じ部（３ａ）、
前記制御ピン（４）がロック位置（ＶＳ）に保持されるところのラッチ凹部（５）を有してなるロック部（３ｂ）、及び、
前記可動家具部品（２）を開く際に前記制御ピン（４）が移動可能な開き部（３ｃ）を有しており、
可動家具部品（２）の開き方向（ＯＲ）への移動時でも前記ロック位置（ＶＳ）を解放可能とする過負荷機構（６）が、ロック部（３ｂ）に配設されており、
前記過負荷機構（６）は、作用力をかけられると共に前記制御ピン（４）用の過負荷路（Ｗ）を一時的に閉鎖するブロック要素（７）を有している、
ロック可能な取り出し装置（１）において、
前記ブロック要素（７）は、少なくとも部分的に前記ロック部（３ｂ）のラッチ凹部（５）を形成し、
前記ブロック要素（７）によって閉鎖可能である前記過負荷路（Ｗ）は、過負荷時に前記制御ピン（４）が通過でき、且つ、通路壁によって区画され、且つ、前記閉じ部（３ａ）及び開き部（３ｃ）と固定的な空間関係にあり、且つ、前記開き部（３ｃ）に開口しているところの通路を通っており、
前記ブロック要素（７）は、前記通路壁から分離して設けられ、且つ、前記通路内で移動可能である、
ことを特徴とする可動家具部品用のロック可能な取り出し装置。
【請求項２】
前記制御ピン（４）は、ロック位置（ＶＳ）において前記ブロック要素（７）に対してもたれかかる、ことを特徴とする請求項１に記載の取り出し装置。
【請求項３】
ロック位置（ＶＳ）での前記ブロック要素（７）は、過負荷路（Ｗ）の第１の部分（Ｗ１）を閉鎖し、
過負荷状況においては、ブロック要素（７）は、過負荷路（Ｗ）を閉鎖する位置から、ブロック要素（７）の力の作用に抗して開き方向（ＯＲ）に制御ピン（４）によって移動可能であり、過負荷路（Ｗ）の第１の部分（Ｗ１）が開けられる、
ことを特徴とする請求項１又は２に記載の取り出し装置。
【請求項４】
過負荷路（Ｗ）の第１の部分（Ｗ１）が開けられたとき、前記制御ピン（４）は過負荷路（Ｗ）の第２の部分（Ｗ２）の中に移動可能であり、当該第２の部分においては、当該取り出し装置（１）はロック解除されると共に、可動家具部品（２）は当該取り出し装置（１）のエジェクトばね（８）によって開き方向（ＯＲ）に取り出されることができる、ことを特徴とする請求項３に記載の取り出し装置。
【請求項５】
前記ブロック要素（７）は、ばね（９）による力にさらされる、
ことを特徴とする請求項１〜４のいずれか一項に記載の取り出し装置。
【請求項６】
前記ブロック要素（７）は、ばね（９）による力にさらされると共に、
前記ブロック要素（７）のばね（９）のばね力（Ｆ9）は、前記エジェクトばね（８）のばね力（Ｆ8）よりも大きい、
ことを特徴とする請求項４に記載の取り出し装置。
【請求項７】
前記過負荷路（Ｗ）は、当該過負荷路（Ｗ）に沿ってほぼ同じ幅を維持すると共に、当該過負荷路（Ｗ）を移動可能な前記制御ピン（４）の直径（Ｄ）よりも僅かに大きい幅（Ｂ）を有する、
ことを特徴とする請求項１〜６のいずれか一項に記載の取り出し装置。
【請求項８】
前記スライドガイド路（３）が設けられたハウジング（１０）と、
前記ハウジング（１０）に沿って移動可能なスライダー（１１）と、
前記エジェクトばね（８）が、その一端部で前記スライダー（１１）に連結されると共に、その他端部で前記ハウジング（１０）に連結されていることと、
前記スライダー（１１）に旋回可能に取り付けられていると共に、前記スライドガイド路（３）に係合する前記制御ピン（４）が配置されているところの制御レバー（１２）と、
前記スライダー（１１）上に配置されているところの、可動家具部品（２）用のエジェクト要素（１３）と、
によって特徴付けられた請求項４に記載の取り出し装置。
【請求項９】
前記ハウジング（１０）は、深さ調節装置（１４）によって移動可能であると共に前記スライドガイド路（３）が設けられている部分（１０ａ）を有している、
ことを特徴とする請求項８に記載の取り出し装置。
【請求項１０】
家具本体の枠組みである家具カーカス（１６）と、
可動家具部品（２）と、
請求項１〜９のいずれか一項に記載のロック可能な取り出し装置（１）と、
を備えた家具製品。
【請求項１１】
家具本体の枠組みである家具カーカス（１６）と、
可動家具部品（２）と、
請求項８に記載のロック可能な取り出し装置（１）と、
を備えた家具製品（１５）であって、
前記可動家具部品（２）は、当該可動家具部品（２）に接続され又は接続され得る引き出しレール（１７）、及び、前記家具カーカス（１６）に接続されたカーカスレール（１８）によって前記家具カーカス（１６）に移動可能に取り付けられており、
前記取り出し装置（１）は、前記引き出しレール（１７）又は可動家具部品（２）に配置されており、
前記可動家具部品（２）の少なくとも閉じ位置（ＳＳ）において、前記エジェクト要素（１３）は、前記家具カーカス（１６）又はカーカスレール（１８）上にそれぞれ配置された同調部材（１９）と積極的なロック関係で接続されている、
ことを特徴とする家具製品。
【請求項１２】
前記可動家具部品（２）を閉じ位置（ＳＳ）から、当該閉じ位置（ＳＳ）の後ろの位置に過押圧することにより、あるいは、前記可動家具部品（２）を前記閉じ位置（ＳＳ）から開き方向（ＯＲ）に引っ張ることにより、前記制御ピン（４）がロック部（３ｂ）から、開き部（３ｃ）内に、あるいは、取り出し装置（１）がロック解除される過負荷路（Ｗ）の第２の部分（Ｗ２）内に進入し、
前記取り出し装置（１）がロック解除されるときに負荷解除され得るエジェクトばね（８）は、可動家具部品（２）に連結された前記ハウジング（１０）が、家具カーカスに対して固定されている前記同調部材（１９）に保持されたスライダー（１１）に対して移動可能であることを提供し、
そして、前記可動家具部品（２）は開き方向（ＯＲ）に取り出されることができる、
ことを特徴とする請求項１１に記載の家具製品。
【発明の詳細な説明】
【技術分野】
【０００１】
本発明は、ハート形（心臓形）(cardioid-shaped)に形成されたスライドガイド路内を移動可能な制御ピンを備えた、可動家具部品用のロック可能な取り出し装置（エジェクト装置）に関するものである。ここで、前記スライドガイド路は、前記可動家具部品を閉じる際に制御ピンが移動するところの閉じ部(closing portion)、制御ピンがロック位置に保持されるところのラッチ凹部を有してなるロック部(locking portion)、及び、可動家具部品を開く際に制御ピンが移動可能な開き部(opening portion)を有している。更に、可動家具部品の開き方向への移動時でも前記ロック位置を解放可能とする過負荷機構(overload mechanism)が、ロック部に配設されており、その過負荷機構は、作用力をかけられると共に制御ピン用の過負荷路を一時的に閉鎖（ブロック）するブロック要素(blocking element)を有している。
【背景技術】
【０００２】
ロック可能な取り出し装置（これはまた、タッチ・ラッチ(touch-latch)機構とも呼ばれる）は、とりわけ引き出し(drawer)に関連して利用されており、閉じた引き出しに対して圧力をかけたときに、引き出しがアンロック（ロック解除）され、引き出しの自動的な取り出し(エジェクト動作)又は開放が起きる、といったことをもたらす役割を担う。そのようなロック可能な取り出し装置の初期の設計では、取り出し(エジェクト動作)は、引き出しを押すこと（つまり、閉じ方向に過度に圧力をかけること）のみによって生じさせることができる。しかしながら、引き出しが閉じているときに、それが押されるのではなく、むしろ開き方向に引っ張られるならば、個々の構成部品は過負荷状態となり、破壊されるに至ることもある。
【０００３】
そういったことを回避するために、そのようなロック可能な取り出し装置には、過負荷機構が取り付けられていた。
【０００４】
そのような過負荷機構の例は、ＤＥ  ２０  ２００９  ００５  ２５６  Ｕ１に見出される。そのケース（場合）においては、制御ピンがロック位置に配置される領域が、例えば開き方向への引き出しの動作時に回転（回動）され、あるいは、ハート形(cardioid)様のスライドガイド路の“ハート”の領域で過負荷通路が開かれる。また、異形もあり、それによれば、スライドガイド路自体が二つの部分から形成され、それらは過負荷状況で互いに対し変位される。上記に示した明細書によれば、全ての実施態様で、制御ピン用の通常の、ハート形形状の通路での変化があらねばならない。その結果として、実際のスライドガイド路の領域は、常に塞がれている。特に、そのような過負荷後において、移動部品がもはや適時に通常位置に後退しない（戻らない）ときには、その通常のハート形様の通路はもはや、制御ピンに通路全体を通過させることができない。それは、トリガープロセス（開始プロセス）を不完全なものにする。しかも、閉じ位置やロック位置がもはや正確に実現されないこともあり得る。
【０００５】
同様のやり方において、（日本）特開２００７−９５０７号公報、特にその図７は、ハート形様スライドガイド路の“ハート”の一部が過負荷状況で旋回可能になり、そのことにより、開き方向に制御ピン用の通路を開く過負荷機構を示す。この構成は、制御ピンの通常の通路がその旋回動作によって変位されるという不利益を被る。仮にその通路が再び適時にクリヤーされない（開けられない）ならば、上で既に言及したような問題が生じ得る。
【０００６】
ＷＯ２００７／０５０７３７  Ａ２は、制御ピンがラッチ（掛け金）的に係合するラッチ凹部における、ハート形形状のロック部を開示する。そのラッチ凹部の領域には、相対的に幅狭の過負荷通路が既にハート形形態の中に設けられている。ハート形を形成している部分はフレキシブル（柔軟な）材料からなるので、過負荷が生ずるとき、制御ピンはその柔軟な部分を介して力をかけられ得る。その点での不利益は、多くの（何度かの）過負荷動作で前記の柔軟材料が、それを介して制御ピンが力をかけられることのために磨り減ってしまい、そのことで通路の幅の好ましくない増大が起き得る、ということである。そのことは、普通程度の負荷が作用するときや僅かな過負荷に過ぎないときでさえ、望まないロック効果をもたらす結果となる。
【先行技術文献】
【特許文献】
【０００７】
【特許文献１】ＤＥ  ２０  ２００９  ００５  ２５６  Ｕ１
【特許文献２】特開２００７−９５０７号公報
【特許文献３】ＷＯ２００７／０５０７３７  Ａ２
【発明の概要】
【発明が解決しようとする課題】
【０００８】
従って本発明の目的は、先行技術を超えて改良されたロック可能な取り出し装置（エジェクト装置）を提供することにある。特に、過負荷機構が、スライドガイド路における通常通路が出来得る限り悪影響を受けないような設計構造である、ものを提供することにある。
【課題を解決するための手段】
【０００９】
請求項１のおいて書きの特徴を有する取り出し装置について、その目的は次の構成によって達成される。即ち、
ブロック要素はまた、少なくとも部分的にロック部のラッチ凹部を形成しており、
前記ブロック要素によって閉鎖可能である過負荷路は、過負荷時に制御ピンが通過でき、且つ、通路壁によって区画され、且つ、閉じ部及び開き部と固定的な空間関係にあり、且つ、前記開き部に開口しているところの通路を通っており、
前記ブロック要素は、前記通路壁から分離して設けられ、且つ、前記通路内で移動可能であること。
換言すれば、これは、過負荷のときに、ブロック要素だけが、それ（制御ピン？）が開き方向に動くにつれて制御ピンによってスライドガイド路のロック部を移動可能であることを意味する。他の領域（閉じ部、開き部、および少なくとも部分的にロック部）は変化しないままである。加えて、ロック部は、ブロック要素によってダメージ・フリーなやり方で解放されることができる。本発明の更なる利点は、拡散(spreading)や強制が「ハート」を開くときに（従来例参照）、過負荷のセーフガードを提供するのは摩擦力ではなく、むしろそれは、正確な引っ張りトリガー（引き金）効果を許容するところの、ブロック要素に関して明確に定義され、精密に関連付けられた力の作用である、という点にある。
【００１０】
可動家具部品の開き方向への移動時に定義されたトリガー（引き金）通路を許容するためには、ロック位置にあるブロック要素が過負荷路の第１の部分をブロック（閉鎖）すると共に、過負荷状況においてブロック要素は、過負荷路を閉鎖する位置からのブロック要素の力の作用に抗して開き方向に制御ピンにより移動可能であり、過負荷路の第１の部分がクリヤーされる（開けられる）、ことが好ましい。
取り出し装置の取り出し（エジェクト動作）を許容すべく開き方向に突出されなければならない距離はまた、過負荷路の第１の部分の長さ（例えば２〜５ｍｍ）に依存する。従って、過負荷路の第１の部分がクリヤーされる（開けられる）とき、制御ピンが過負荷路の第２の部分の中に移動可能であり、当該第２の部分においては、当該取り出し装置がアンロック（ロック解除）されると共に、可動家具部品が当該取り出し装置のエジェクトばねによって開き方向に取り出されることができる、ことは好ましい。
その目的のために、ブロック要素がばねによる力にさらされること、そして当該ばねが圧縮ばねの形態をなすことは、更に好ましい。
【００１１】
ロック位置における制御ピンは、エジェクトばね及びブロック要素ばねの双方と力作用的に連結された関係にあるため、ブロック要素のばねのばね力が前記エジェクトばねのばね力よりも大きい、ことは好ましい。そのことは、ブロック要素がエジェクトばね自体によっては解放されないが、可動家具部品を引っ張り出すことによりユーザ（使用者）によって追加の力が付与された場合にのみ解放される、ことを保証する。
【００１２】
本発明の好ましい一実施態様では、ロック位置での制御ピンは、ブロック要素に対してだけもたれかかる、つまり、ラッチ凹部の大部分又は全体がブロック要素それ自体によって形成されている。
【００１３】
基本的に、取り出し装置（エジェクト装置）は、例えば特許文献１及び特許文献２に示されるように、所望の構成であることができ、所望のやり方で準備されることができる。唯一の本質的な考慮点は、本発明に従うところの過負荷機構が存在することである。それにもかかわらず、好ましい一実施態様は、
前記スライドガイド路が設けられたハウジングと、
前記ハウジングに沿って移動可能なスライダーと、
前記エジェクトばねが、その一端部で前記スライダーに連結されると共に、その他端部で前記ハウジングに連結されていることと、
前記スライダーに旋回可能に取り付けられていると共に、前記スライドガイド路に係合する前記制御ピンが配置されているところの制御レバーと、
前記スライダー上に配置され且つ好ましくは旋回可能に取り付けられているところの、可動家具部品用のエジェクト要素と、を含むものである。
【００１４】
そのような取り出し装置の場合においてロック位置の調節を行うために、前記ハウジングが、深さ調節装置によって移動可能であると共に前記スライドガイド路が設けられている部分（移動可能部）を有する、ことは好ましい。
【００１５】
発明の保護は、家具製品についても求められており、その家具製品は、家具カーカスと、可動家具部品（特に、引き出し）と、請求項１〜９のいずれか一項に記載のロック可能な取り出し装置と、を備えている。
【００１６】
そのような家具製品の場合において、取り出し装置（エジェクト装置）が家具カーカスと関連し、且つ可動家具部品と関連した同調部材上で作動することは、可能である。しかしながら、本発明の一実施態様では、これとは反対に次のことが提供される、即ち：
可動家具部品が、当該可動家具部品に接続され又は接続され得る引き出しレール、任意的にはセンターレール、及び、家具カーカスに接続されたカーカスレールによって前記家具カーカスに移動可能に取り付けられており、
取り出し装置は、引き出しレール又は可動家具部品に配置されており、
可動家具部品の少なくとも閉じ位置において、前記エジェクト要素は、好ましくは、前記家具カーカスまたはカーカスレール上にそれぞれ配置された同調部材と積極的なロック関係で接続されていること。
【００１７】
本発明の本質的（基本的）な観念はまた、引き出しを過度に押すことだけでなく、引き出しを引くことによっても、可動家具部品の取り出し（エジェクト）が有効になされることを提供する。その目的のために、好ましくは次のことが提供される、即ち：
可動家具部品を閉じ位置から、当該閉じ位置の後ろの位置に過押圧することにより、あるいは、可動家具部品を前記閉じ位置から開き方向に引っ張ることにより、前記制御ピンがロック部から、開き部内にあるいは過負荷路の第２の部分内に進入して、取り出し装置がアンロック（ロック解除）され、
取り出し装置がアンロック（ロック解除）されるときに負荷解除され得るエジェクトばねは、可動家具部品に連結されたハウジングが、家具カーカスに対して固定されている前記同調部材に保持されたスライダーに対して移動可能であることを提供し、
そして、前記可動家具部品は開き方向に取り出されることができること。
【００１８】
本発明の更なる詳細及び利点は、図面に示された事例により実施形態を参照した具体的説明によって、これ以後、更に十分に説明される。
【図面の簡単な説明】
【００１９】
【図１】図１は、閉じた引き出し及び開いた引き出しと共に家具製品を模式的に示す。
【図２】図２は、引き出し側壁および家具カーカス（家具本体の枠組み）と共に、引き出し伸長ガイドの外観を示す。
【図３】図３は、伸長ガイドを伴った引き出し側壁の一部を示す。
【図４】図４は、図３に取り出し装置が取り付けられた状態を示す。
【図５】図５〜図７は、家具カーカスレールに対する可動家具部品の異なる位置を示す。
【図６】図５〜図７は、家具カーカスレールに対する可動家具部品の異なる位置を示す。
【図７】図５〜図７は、家具カーカスレールに対する可動家具部品の異なる位置を示す。
【図８】図８〜図１２は、異なる位置にある取り出し装置の側面を示す。
【図９】図８〜図１２は、異なる位置にある取り出し装置の側面を示す。
【図１０】図８〜図１２は、異なる位置にある取り出し装置の側面を示す。
【図１１】図８〜図１２は、異なる位置にある取り出し装置の側面を示す。
【図１２】図８〜図１２は、異なる位置にある取り出し装置の側面を示す。
【図１３】図１３は、構造ユニット（構造単位）の形態にある取り出し装置を示す。
【図１４】図１４及び図１５は、二つの異なる側から見た、取り出し装置の分解図を示す。
【図１５】図１４及び図１５は、二つの異なる側から見た、取り出し装置の分解図を示す。
【図１６】図１６及び図１７は、ブロック要素を伴ったハウジングの移動可能部の３次元視を示す。
【図１７】図１６及び図１７は、ブロック要素を伴ったハウジングの移動可能部の３次元視を示す。
【図１８】図１８は、過度に押されたときのスライドガイド路における制御ピンの異なる位置を模式的に示す。
【図１８ａ】図１８ａは、図１８に対応したスプリング（ばね）に関する力の変動を示す。
【図１９】図１９は、過負荷状況でのスライドガイド路における制御ピンの配置を模式的に示す。
【図１９ａ】図１９ａは、図１９に対応したスプリング（ばね）に関する力の変動を示す。
【図２０】図２０〜図２５は、スライドガイド路における制御ピンの異なる位置での三次元視およびその詳細（部分拡大図）を示す。
【図２１】図２０〜図２５は、スライドガイド路における制御ピンの異なる位置での三次元視およびその詳細（部分拡大図）を示す。
【図２２】図２０〜図２５は、スライドガイド路における制御ピンの異なる位置での三次元視およびその詳細（部分拡大図）を示す。
【図２３】図２０〜図２５は、スライドガイド路における制御ピンの異なる位置での三次元視およびその詳細（部分拡大図）を示す。
【図２４】図２０〜図２５は、スライドガイド路における制御ピンの異なる位置での三次元視およびその詳細（部分拡大図）を示す。
【図２５】図２０〜図２５は、スライドガイド路における制御ピンの異なる位置での三次元視およびその詳細（部分拡大図）を示す。
【発明を実施するための形態】
【００２０】
図１は、家具カーカス（家具本体の枠組み）１６および二つの可動家具部品２を含む家具製品１５を示す。この場合、上側の可動家具部品２は閉じ位置ＳＳにあり、ここで制御ピン４は、ロック位置ＶＳにてスライドガイド路３に保持されている。制御ピン４は、制御レバー１２を介して、ハウジング１０（ここでは模式的に示す）内で変位可能なスライダー１１に連結されている。スライダー１１は、エジェクトばね８を介してハウジング１０に連結され、そのエジェクトばね８（引張ばね）は当該ロック位置ＶＳでストレス（負荷）を加えられている。取り出し装置（エジェクト装置）１は、引き出しレール１７に取り付けられている。そして、引き出しレール１７はカーカスレール１８に対してロックされ、それ故、引き出しレール１７が取り出し装置１及びそのエジェクト要素１３（ロック用フックを具備）を介してカーカスレール１８の同調部材１９に保持されているとき、引き出しレール１７は変位（移動）可能ではない。
【００２１】
もし今、図１の下側の可動家具部品２に関して示されているように、トリガー操作（開始操作）が付与される（それは、可動家具部品２を過度に押すこと、引くことの両方で可能）ならば、そのときには、制御ピン４がスライドガイド路３のロック部３ｂの外側を通過する。すると、スライダー１１はもはやスライドガイド路３ではロックされず、エジェクトばね８は縮むことができ、このことにより、取り出し装置１のハウジング１０が、それに取り付けられている可動家具部品２と共に開き方向ＯＲに動かされる。スライダー１１それ自体は依然として、エジェクト要素１３を介して同調部材１９に積極的なロック関係で連結されているため、スライダー１１に対してハウジング１０の変位（移動）が起こり、可動家具部品２は開き位置ＯＳに移る。
【００２２】
図２は、可動家具部品２の一側壁、及び、引き出しレール１７（この図では見づらい）に保持されたコンテナレール２０を示す。取り出し装置１は、引き出しレール１７の下、即ちコンテナレール２０の下に取り付けられている。
【００２３】
図３は、引き出し側壁２１を示す。同調部材１９が取り付け要素２２を介してカーカスレール１８に取り付けられている。
【００２４】
図４は、引き出しレール１７に取り付けられた取り出し装置１と一緒になった引き出し側壁２１を示す。この場合、もう一方の引き出し側壁（図示略）と関連する第２の取り出し装置と同期をとるための連結要素２３、及び、深さ調節装置１４が見て取れる。
【００２５】
図５では、ハウジングカバー１０ｃが取り出し装置１から取り除かれており、よって取り出し装置１の中を見ることができる。そこでわかるように、エジェクト要素１３（ロック用フック）が積極的なロック関係で同調部材１９に連結されている。そのエジェクト要素１３はガイド路２４内で動く。エジェクトばね８、及び、ブロック要素７用のばね９も示されている。
【００２６】
図６では、引き出し側壁２１と共に可動家具部品２が開き方向ＯＲに更に動かされ、その場合には、エジェクト要素１３がガイド路２４の傾斜した端部領域に進入し、それによりスライダー１１に対して旋回し同調部材１９を解除する(release)。その瞬間から又はその位置から、可動家具部品２は開き方向ＯＲに自由に動かされることができる（図７も参照されたし）。
【００２７】
図８は、可動家具部品の中央から取り出し装置１を見たところを示す。この場合、ハウジングカバー１０ｃは全体的に取り除かれている。加えて、移動可能部１０ａの一部が切り取られて、移動可能部１０ａにおけるスライドガイド路３を見えるようにしている。図８では、制御ピン４がロック位置ＶＳにあり、ブロック要素７上のラッチ凹部５に配置されている。
【００２８】
図９では、制御ピン４は、過度押圧位置Ｕに示されており、ロック部３ｂから開き部３ｃへ行く（図１８も参照されたし）。
【００２９】
図１０では、エジェクトばね８の作用が既に開始されており、それにより、スライダー１１自体がエジェクト要素１３（ロック用フックを具備）によって同調部材１９にひいては家具カーカス１６に保持されているので、ハウジング１０のマウント部１０ｂがスライダー１１に対して開き方向ＯＲに動く。制御ピン４は分岐要素２５を通り過ぎる少し前を示されており、制御ピン４は、ばね荷重がかけられた分岐要素２５を下に押し、（分岐要素２５は）制御ピンがそこを通過した後に再び開始位置にもどる。その後に（それに引き続いて）閉じ方向ＳＲへの制御ピンの移動時、そのことは、制御ピン４が開き部３ｃの中にではなく閉じ部３ａの中に進む又はそらされることを許容する。
【００３０】
図１１では、エジェクトばね８は全く負荷をかけられておらず（つまり、収縮されており）、スライダー１１はエジェクト要素１３をガイド路２４の傾斜した端部に動かし、その結果、エジェクト要素１３は旋回させられて、エジェクト要素１３と同調部材１９との間の積極的なロック結合が解除される。
【００３１】
図１２では、取り出し装置１はもはや同調部材１９には保持されておらず、よって可動家具部品２の全体が自由に移動可能となっている。
【００３２】
図１３は、組み立て状態での、幅狭で長尺な取り出し装置１を示す。
【００３３】
図１４及び図１５は、異なる側からの取り出し装置１の分解図を示す。取り出し装置１は、その大きな構成部品として、マウント部１０ｂ、ハウジングカバー１０ｃおよび移動可能部１０ａを備えてなるハウジング１０を有している。取り出し装置１は、マウント部１０ｂによって可動家具部品２または引き出しレール１７に接続される。ハウジングカバー１０ｃは、伝統的な連結手段を介してマウント部１０ｂに固定的に接続されている。移動可能部１０ａは、それら二つの部品の間に配置されており、引き出し全体のロック位置の配置及び深さは、深さ調節装置１４によって調節され得る。その回転可能な深さ調節装置１４は、その下側において、移動可能部１０ａに設けられたラッチ手段１４ａに対応する螺旋ウォーム１４ｂを有している。移動可能部１０ａにはスライドガイド路３が設けられており、スライドガイド路３のラッチ凹部５がブロック要素７によって形成される。ブロック要素７は、ガイド２９内に移動可能に取り付けられており（図１６，１７参照）、ばね９（圧縮ばね）の力を受ける。スライダー１１はハウジング１０全体に対してスライド可能又は変位可能に取り付けられている。制御レバー１２は、スライダー１１に対して旋回可能に取り付けられると共に、一端において、スライドガイド路３に係合する制御ピン４を有している。加えて、エジェクト要素１３がスライダー１１の一端部に旋回可能に取り付けられている。スライダー１１は更に、連結要素２３に対応する同調歯（群）２６を有しており、当該連結要素２３には、引き出しの他側における別の取り出し装置（エジェクト装置）との連結用の同調バー（図示略）を設けることができる。取り出し装置１は更に、ハウジングカバー１０ｃ上のばねホルダー２７と、スライダー１１のばねホルダー２８との間に保持されたエジェクトばね８を有している。
【００３４】
図１８は、スライドガイド路３における制御ピン４の通路（経路）を模式的に示す。それに対応して、図１８ａは、エジェクトばね８のばね力Ｆ8と、ブロック要素７用のばね９のばね力Ｆ9とをそれぞれ示す。全体の手順は、可動家具部品２の開き位置ＯＳから閉じ方向ＳＲに向けた移動で始まる。この場合、制御ピン４は先ずポジションＩに移動する。その領域では、エジェクトばね８、ひいてはそのばね力Ｆ8が、既に加圧されている。ポジションＩＩに到達することで、エジェクトばね８の最高のばね力Ｆ8を与える。ポジションＩＩはまた、スライドガイド路３の閉じ部３ａとロック部３ｂとの間の遷移部を表す。ロック部３ｂでは、制御ピン４は、当該ピン４がラッチ部５ひいてはブロック要素７にもたれかかるポジションＩＩＩに達する。それはロック位置ＶＳを表し、可動家具部品２の閉じ位置ＳＳに対応する。家具部品が閉じ位置ＳＳから閉じ方向ＳＲに動かされるとき（過押圧時）、制御ピン４はポジションＩＶ（ロック部３ｂと開き部３ｃとの間の遷移部）に移る。制御ピン４が開き部３ｃに達するや否や、ロック位置ＶＳが解放され、エジェクトばね８はそのばね力Ｆ8を展開して可動家具部品２をエジェクトする。このエジェクトプロセス時には、制御ピン４はポジションＶおよびＶＩに達し、分岐要素２５を通過する。
【００３５】
これに対し図１９及び１９ａは、模式的な手順、及び、スライドガイド路３または過負荷路Ｗにおける制御ピン４の位置を示す。過負荷路Ｗは、通路壁によって区切られた心臓形（ハート形）(cardioid)の通路を通り抜けている。その通路は、部位３ａ，３ｂ，３ｃと固定した空間的関連にある。再度、ポジションＩで可動家具部品２の閉じ（動作）が始まると、閉じ部３ａでの制御ピン４の動きがポジションＩＩに達する。その領域では、エジェクトばね８及びそのばね力Ｆ8は加圧される。ロック部３ｂに到達後、制御ピン４は、ロック位置ＶＳに対応するポジションＩＩＩに入る。図１８とは対照的に、可動家具部品２には閉じ方向ＳＲにアクション（動作）は付与されないが、引っ張り力が可動家具部品２に開き方向ＯＲにかけられる。その結果として、過負荷機構６が作動を開始し、ポジションＩＶに移動することで制御ピン４がブロック要素７を押圧し、それによってばね９を圧縮する。その場合、制御ピン４は、ブロック要素７によってブロック（閉鎖）され得る過負荷路Ｗの第１の部分Ｗ１に配置される。過負荷路Ｗの第１部分の端では、制御ピン４が傾斜した偏向部３１によって左の方に移動させられ、ポジションＶに進む。そのポジションＶでは、ブロック要素のばね９のばね力Ｆ9が最大となる。同時に、エジェクトばね８のばね力Ｆ8はまた、既に僅かに緩和（解放）される。制御ピン４がブロック要素７の延長部３２を全体的に押したときだけ、ブロック要素７のばね９のばね力Ｆ9が克服され、制御ピン４が過負荷路Ｗの第２の部分Ｗ２に進入し、そこではロック位置ＶＳが無効にされてエジェクトばね８が作用を開始し、それにより、制御ピン４がポジションＶＩおよびＶＩＩに達する。ばね９が再びストレスを解かれて、ブロック要素７を再び図１８に示す位置に復帰させるのは、左手側の延長部３２を通り過ぎた直後である。
【００３６】
この設計の利点は、ブロック要素７が、スライドガイド路３のハート３０を通り抜けるいわゆるバイパス線を形成する点にある。ブロック要素７は、その過負荷路Ｗを閉鎖すると共に、過負荷状況の場合にだけそれをクリヤーにする（開けさせる、閉鎖を解く）。これに対して、スライドガイド路の各部位３ａ，３ｂ，３ｃは変化しないままであり、閉鎖可能な過負荷路Ｗと常に一定の空間的関連（性）を保っている。結果として、素早い開閉動作のときでさえ、お互いに空間的に固定された関係にあるところのスライドガイド路３の各部３ａ，３ｂ，３ｃにおいて制御ピン４のジャミング(jamming)はあり得ない。
【００３７】
図２０は、ブロック要素７のラッチ凹部５にもたれかかった、ロック位置ＶＳにおける制御ピン４の三次元視を示す。それに関して、過負荷路Ｗが通り抜けている通路が、当該過負荷路Ｗに沿ってほぼ同じ（幅の）ままであり且つ当該過負荷路Ｗで移動可能な制御ピン４の直径Ｄよりも僅かに大きいところの通路壁の幅Ｂを有することは、好ましい。換言すれば、制御ピン４は、その通路によって形成される過負荷路Ｗであって、第１の部分Ｗ１が幾分相対的に大きい幅Ｂの状態にある過負荷路Ｗを正確に通り抜ける。
【００３８】
図２１〜２３は、制御ピン４用の過負荷路Ｗを示しており、これらの図面は図１９に対応する。他方、図２４及び２５は、位置Ｕ（過度押圧位置Ｕ）における制御ピン４の過度押圧での通常経路を示し、これらは実質的に図１８に対応する。
【符号の説明】
【００３９】
１  取り出し装置（エジェクト装置）
２  可動家具部品
３  スライドガイド路
３ａ  スライドガイド路の閉じ部
３ｂ  スライドガイド路のロック部
３ｃ  スライドガイド路の開き部
４  制御ピン
５  ラッチ凹部
６  過負荷機構
７  ブロック要素
８  エジェクトばね
９  ブロック要素用のばね
１０  ハウジング
１０ａ  移動可能部
１１  スライダー
１２  制御レバー
１３  エジェクト要素
Ｗ  過負荷路
Ｗ１  過負荷路の第１の部分
Ｗ２  過負荷路の第２の部分
【図１】
0005855741.tif 000002
【図２】
0005855741.tif 000003
【図３】
0005855741.tif 000004
【図４】
0005855741.tif 000005
【図５】
0005855741.tif 000006
【図６】
0005855741.tif 000007
【図７】
0005855741.tif 000008
【図８】
0005855741.tif 000009
【図９】
0005855741.tif 000010
【図１０】
0005855741.tif 000011
【図１１】
0005855741.tif 000012
【図１２】
0005855741.tif 000013
【図１３】
0005855741.tif 000014
【図１４】
0005855741.tif 000015
【図１５】
0005855741.tif 000016
【図１６】
0005855741.tif 000017
【図１７】
0005855741.tif 000018
【図１８】
0005855741.tif 000019
【図１８ａ】
0005855741.tif 000020
【図１９】
0005855741.tif 000021
【図１９ａ】
0005855741.tif 000022
【図２０】
0005855741.tif 000023
【図２１】
0005855741.tif 000024
【図２２】
0005855741.tif 000025
【図２３】
0005855741.tif 000026
【図２４】
0005855741.tif 000027
【図２５】
0005855741.tif 000028